(57)【特許請求の範囲】
【請求項１】
通路を挟んで対向配置される一対の壁用枠部と、
前記一対の壁用枠部にそれぞれ固定され、電波を吸収可能な電波吸収体にて構成された側壁部と、
前記側壁部の前記通路とは反対側に配置され、電波を反射可能な導電体にて構成された反射板と、
を備え、
前記一対の壁用枠部は、それぞれ、前記通路の上方から下方にかけて複数に分割された分割枠部と、該分割枠部同士を連結する枠部連結具とにより構成され、
前記側壁部は、前記各壁用枠部を構成する分割枠部にそれぞれ固定できるように複数の部分側壁部にて構成されており、
しかも、前記一対の壁用枠部には、それぞれ、各壁用枠部に固定された前記側壁部にて挟まれる前記通路内のＲＦＩＤタグとの間で無線通信を行うためのアンテナ装置が、前記側壁部よりも前記通路側に位置するように、上下方向に間隔を空けて複数取り付けられている、ＲＦＩＤ通信用ゲート。
【請求項２】
前記反射板は、前記複数の部分側壁部にそれぞれ積層されており、
前記側壁部は、前記部分側壁部に積層された反射板同士を電気的に接続する導電性の接続部を備えている、
請求項１に記載のＲＦＩＤ通信用ゲート。
【請求項３】
前記接続部は、
接続対象となる前記各部分側壁部の端縁に設けられた金属板と、
前記各部分側壁部が前記壁用枠部に固定されているとき、接続対象となる前記各部分側壁部の前記金属板の間に配置され、弾性変形することにより前記反射板同士を電気的に接続する弾性部材と、
を備えている、請求項２に記載のＲＦＩＤ通信用ゲート。
【請求項４】
前記接続部は、導電性を有する粘着テープにて構成されている、請求項２に記載のＲＦＩＤ通信用ゲート。
【請求項５】
前記枠部連結具は、前記分割枠部同士を折り畳み可能に連結するよう構成され、
前記接続部は、前記枠部連結具における前記部分側壁部との対向位置に設けられている、
請求項２に記載のＲＦＩＤ通信用ゲート。
【請求項６】
前記反射板は、前記壁用枠部を構成する複数の分割枠部のうち、上端側若しくは下端側に配置される分割枠部に固定された芯材に対し、引き出し可能に巻回された導電性シートにて構成されている、請求項１に記載のＲＦＩＤ通信用ゲート。
【請求項７】
前記一対の壁用枠部の上端同士を連結し、前記通路を跨ぐように配置される天用枠部を備えている、請求項１〜請求項６の何れか１項に記載のＲＦＩＤ通信用ゲート。
【請求項８】
前記分割枠部は、枠の外形を構成するための棒状部材と該棒状部材同士を連結する棒状部材連結具とにより構成されている、請求項１〜請求項７の何れか１項に記載のＲＦＩＤ通信用ゲート。
【発明の詳細な説明】
【技術分野】
【０００１】
本発明は、監視対象となる施設の出入り口等に設置され、その出入り口を通過する人若しくは移動体に備えられた無線機器との間で無線通信するのに利用される通信用ゲートに関する。
【背景技術】
【０００２】
この種の通信用ゲートは、ゲートを通過する人若しくは移動体に備えられた無線機器（例えばＲＦＩＤタグ）との間で、アンテナ装置を介して良好な無線通信ができるようにするためのものである。
【０００３】
このため、この種の通信用ゲートにおいては、ゲートの側壁部分に、電波を吸収可能な電波吸収体からなる板材と、電波を反射可能な導電体からなる反射板とを、重ねて配置することが提案されている（例えば、特許文献１参照）。
【０００４】
この提案の通信用ゲートによれば、電波吸収体を、反射板よりもゲートの内側に配置することで、無線通信用の電波がゲート内で反射したり、ゲートの外に漏れ出したりするのを防止できる。また、反射板を、電波吸収体よりもゲートの外側に配置することで、ゲートの外から入射してくる電波を反射板にて反射し、ゲート内に不要な電波が侵入するのを防止できる。
【先行技術文献】
【特許文献】
【０００５】
【特許文献１】特開２００８−２３４５２７号公報
【発明の概要】
【発明が解決しようとする課題】
【０００６】
ところで、上記提案の通信用ゲートにおいては、側壁を構成する電波吸収体及び反射板が、ゲートの高さ方向全域をカバーできるように、長尺状に形成されており、その高さ方向の長さは、ゲートを通過する人の背丈よりも長くなっている。
【０００７】
このため、通信用ゲートを運搬、設置する際の作業性が悪く、例えば、期間限定で開催されるイベント会場で使用するような場合には、運搬・設置を繰り返し行うことになるため、その作業が極めて面倒になるという問題があった。また、設置場所によっては、通信用ゲートの構成部材（側壁等）を搬入することができないこともある。
【０００８】
本発明は、こうした問題に鑑みなされたものであり、運搬・設置作業を容易に行うことのできる通信用ゲートを提供することを目的とする。
【課題を解決するための手段】
【０００９】
本発明の通信用ゲートには、通路を挟んで対向配置される一対の壁用枠部が備えられている。この壁用枠部には、それぞれ、電波を吸収可能な電波吸収体にて構成された側壁部が設けられており、側壁部の通路とは反対側（つまりゲートの外側）には、電波を反射可能な導電体にて構成された反射板が設けられている。
【００１０】
このため、本発明の通信用ゲートによれば、側壁部を構成する電波吸収体により、ゲート内のアンテナ装置や無線機器から放射された電波が側壁部で反射したり、外に漏れ出したりするのを抑制できる。また、反射板により、ゲートの外から入射してくる電波を低減し、ゲート内に不要な電波が侵入するのを抑制できる。
【００１１】
また、本発明の通信用ゲートにおいては、一対の壁用枠部が、それぞれ、通路の上方から下方にかけて複数に分割された分割枠部と、分割枠部同士を連結する枠部連結具とにより構成されている。そして、側壁部は、各壁用枠部を構成する分割枠部にそれぞれ固定できるように、複数の部分側壁部にて構成されている。
【００１２】
従って、本発明の通信用ゲートによれば、上述した従来装置に比べて、窓用枠部を構成する分割枠部や分割枠部に設けられる部分側壁部のゲートの高さ方向の長さを短くすることができ、その運搬及び設置作業を容易に行うことができる。
【００１３】
ここで、反射板は、側壁部とは別体の導電体（導電板）にて構成してもよい。また、部分側壁部が板状である場合には、その板面に積層することで構成してもよい。
そして、部分側壁部に反射板を積層する場合には、分割枠部同士を枠部連結具を介して連結した際に、反射板同士を電気的に接続する接続部を設けるとよい。
【００１４】
つまり、このようにすれば、分割枠部同士を枠部連結具にて連結した際に部分側壁部同士の間に形成される隙間を介して電波が通過するのを防止できる。
また、このように接続部を設ける場合、接続部は、接続対象となる各部分側壁部の端縁に設けられた金属板と、各部分側壁部が壁用枠部に固定されているときに接続対象となる各部分側壁部の金属板の間に配置されて、弾性変形することにより反射板同士を電気的に接続する弾性部材とにより構成してもよい。また、接続部は、導電性を有する粘着テープにて構成されていてもよい。
【００１５】
また、枠部連結具は、分割枠部同士を折り畳み可能に連結するように構成されていてもよい。このようにすれば、枠部連結具を介して分割枠部同士を連結した状態で、壁用枠部を折り畳むことができるようになり、壁用枠部の運搬、組み立て等をより簡単に行うことができる。
【００１６】
なお、この場合、接続部は、枠部連結具における部分側壁部との対向位置に設けるようにすれば、部分側壁部に設けられた反射板同士を簡単に接続することが可能となる。
また、反射板を、側壁部とは別体で構成する場合には、壁用枠部を構成する複数の分割枠部のうち、上端側若しくは下端側に配置される分割枠部に固定された芯材に対し、引き出し可能に巻回された導電性シートにて構成されていてもよい。
【００１７】
このようにすれば、通信用ゲートを組み立てた後、芯材から導電性シートを引き出すことで、側壁の裏面に反射板を配置することができ、その設置を簡単に行うことができる。
また、本発明の通信用ゲートにおいては、一対の壁用枠部の上端同士を連結することで、通路を跨ぐように配置される天用枠部が備えられていてもよい。
【００１８】
このようにすれば、壁用枠部の上端同士を天用枠部にて連結することで、通路を左右及び上方から囲むゲートを形成できることになり、ゲートの組み立て時や組み立て後に壁用枠部（延いては側壁部）が倒れるのを防止することができる。
【００１９】
また、上述した各枠部は、電波を透過可能な板材にて扁平な箱状に組み立てられていてもよく、或いは、枠の外形を構成するための棒状部材と棒状部材同士を連結する棒状部材連結具とにより壁面のない中空の枠体として構成されていてもよい。
【００２０】
そして、上記各枠部を棒状部材と棒状部材連結具とにより構成すれば、通信用ゲートを簡単に組み立て・分解することができるだけでなく、その運搬も極めて容易に行うことができる。
【００２１】
よって、各枠部をこのように構成すれば、期間限定で開催されるイベント会場で使用するような場合に、パーツの搬送及び組み立て作業をより簡単に行うことができ、使い勝手を向上することができる。
【００２２】
また、ゲート内を通過する人や移動体に備えられた無線機器との間で無線通信するためのアンテナ装置は、通信用ゲートとは別体で構成されていてもよいが、壁用枠部の少なくとも一方に、側壁部よりも通路側に固定されていてもよい。
【００２３】
そして、このようにアンテナ装置を壁用枠部に固定するようにすれば、アンテナ装置の設置場所を別途設ける必要がないので、通信用ゲートの使い勝手を向上できる。
【図面の簡単な説明】
【００２４】
【図１】実施形態のＲＦＩＤ通信用ゲートの外観を表す斜視図である。
【図２】図１のＲＦＩＤ通信用ゲートからゲートの内壁を構成する化粧板及び天用枠部を外した状態を表す斜視図である。
【図３】図２のＲＦＩＤ通信用ゲートからアンテナ装置を外した状態を表す斜視図である。
【図４】壁用枠部と側壁部とを分解した状態を表す斜視図である。
【図５】分割枠部及び部分側壁部の連結部分を表す断面図である。
【図６】部分側壁部同士を導電性粘着シールにて接続した構成例を表す断面図である。
【図７】部分側壁部同士を蝶番にて接続した構成例を表す断面図である。
【図８】壁用枠部に対し導電性シートからなるスクリーンを設けた例を表す断面図である。
【発明を実施するための形態】
【００２５】
以下に本発明の実施形態を図面と共に説明する。
本実施形態のＲＦＩＤ通信用ゲート２は、例えば、監視対象となる施設の出入り口に設けられて、その出入り口を通過する通行人が所持する物品に添付されたＲＦＩＤタグから識別情報を読み取るためのものである。
【００２６】
このため、図１〜図３に示すように、ＲＦＩＤ通信用ゲート２は、出入り口の通路を左右側方及び上方から囲むことで、人が通過可能な領域を制限する枠体１０と、枠体１０を介して出入り口の通路を挟むように対向配置される一対の側壁部３２、３４を備える。
【００２７】
枠体１０は、出入り口の通路を挟んで対向配置される一対の壁用枠部１２、１４と、壁用枠部１２、１４の上端同士を連結する天用枠部１６とにより構成され、側壁部３２、３４は、それぞれ、壁用枠部１２、１４に固定されている。
【００２８】
また、図２に示すように、壁用枠部１２、１４及び天用枠部１６は、それぞれ、棒状で中空円筒形の複数のパイプ１８と、そのパイプ１８を連結するパイプ連結具２０とにより構成されている。なお、このパイプ連結具２０は、本発明の棒状部材連結具に相当する。
【００２９】
ここで、天用枠部１６は、４本のパイプ１８を使って、矩形の枠形状に組み立てられている。また、天用枠部１６は、通路を跨ぐように配置されることから、矩形の枠の内側には、通路の幅方向に間隔を空けて左右の外枠と略平行となるように配置された複数（図では２本）のパイプ１８が連結されている。
【００３０】
一方、壁用枠部１２、１４は、その高さを、通路を通過する人の背丈よりも高くする必要があることから、外枠を全て一本のパイプ１８で構成すると、ゲートの高さ方向の外枠を構成するパイプ１８が長くなりすぎ、運搬時や組み立て時の作業性が悪くなる。
【００３１】
このため、壁用枠部１２、１４は、図３に示すように、ゲートの高さ方向に複数（本実施形態では２つ）に分割された分割枠部１２ａ、１２ｂ、１４ａ、１４ｂと、分割枠部１２ａと１２ｂ、１４ａと１４ｂを、それぞれ、連結する枠部連結具２１とにより構成されている。
【００３２】
また、壁用枠部１２、１４は、通路の左右に立設させて、側壁部３２、３４を固定する必要があることから、壁用枠部１２、１４を構成する分割枠部１２ａ、１２ｂ、１４ａ、１４ｂは、それぞれ、１２本のパイプを使って矩形の箱形状に組み立てられている。
【００３３】
つまり、分割枠部１２ａ、１２ｂ、１４ａ、１４ｂは、通路側で矩形の枠を形成する４本のパイプ１８と、この枠に平行に配置される外側の枠を形成する４本のパイプ１８と、この２つの枠の角を連結する４本のパイプ１８とにより構成されている。
【００３４】
従って、分割枠部１２ａ、１２ｂ、１４ａ、１４ｂは、この連結用のパイプの長さによって決まる厚みを有する、扁平な箱形状になっている。
次に、側壁部３２、３４は、分割枠部１２ａ、１２ｂ、１４ａ、１４ｂに対しそれぞれ固定できるように、複数（本実施形態では２つ）の部分側壁部３２ａ、３２ｂ、３４ａ、３４ｂに分けられている。
【００３５】
そして、これら各部分側壁部３２ａ、３２ｂ、３４ａ、３４ｂは、それぞれ、分割枠部１２ａ、１２ｂ、１４ａ、１４ｂを構成するパイプ１８の内、通路とは反対側（つまり外側）で矩形の枠を構成するパイプに固定されている。
【００３６】
また、壁用枠部１２、１４には、ＲＦＩＤタグとの間で無線通信を行うための複数（本実施形態では４つ）のアンテナ装置６２、６４、６６、６８が固定されている（図２、図３参照）。
【００３７】
このうち、アンテナ装置６２は、壁用枠部１２を構成する下方の分割枠部１２ｂに固定され、アンテナ装置６４は、壁用枠部１４を構成する上方の分割枠部１４ａに固定され、アンテナ装置６８は、壁用枠部１４を構成する下方の分割枠部１４ｂに固定されている。
【００３８】
また、アンテナ装置６６は、壁用枠部１４を構成する分割枠部１４ａと分割枠部１４ｂとが接続される部分に、これら各分割枠部１４ａ、１４ｂを跨ぐように固定されている。
これら各アンテナ装置６２、６４、６６、６８の分割枠部１２ｂ、１４ａ、１４ｂへの固定は、分割枠部１２ｂ、１４ａ、１４ｂを構成するパイプ１８の内、通路側で矩形の枠を構成し、且つ、中心軸がゲートの高さ方向に配置される２本のパイプ１８を連結するように行われる。
【００３９】
つまり、各アンテナ装置６２、６４、６６、６８は、パッチアンテナ等からなる平面アンテナを矩形のアンテナケース内に収納することにより構成されている。
そして、そのアンテナケースの長手方向両端側を、固定具７０を介して上記２本のパイプに固定することにより、壁用枠部１２、１４に固定されている。
【００４０】
また、分割枠部１２ａ、１２ｂ、１４ａ、１４ｂの通路側のパイプ１８（詳しくはゲートの高さ方向に配置される２本のパイプ１８）には、通路側からアンテナ装置６２、６４、６６、６８を覆うように、固定具７０を介して、化粧板３６ａ、３６ｂ、３８ａ、３８ｂが固定されている。
【００４１】
なお、化粧板３６ａ、３６ｂ、３８ａ、３８ｂは、電波を透過可能な合成樹脂製の板である。また、固定具７０は、パイプ１８に嵌め込み、固定対象物（アンテナ装置や化粧板、部分側壁部、等）をねじ７２（図５参照）で固定できるようになっている。
【００４２】
次に、側壁部３２、３４を構成する部分側壁部３２ａ、３２ｂ、３４ａ、３４ｂは、電波吸収体にて構成されている。そして、その裏面（通路とは反対側で、分割枠部１２ａ、１２ｂ、１４ａ、１４ｂへ固定される側）には、電波を反射する反射板としてのアルミシート４０が貼り付けられている（図５参照）。
【００４３】
そして、固定具７０は、部分側壁部３２ａ、３２ｂ、３４ａ、３４ｂの分割枠部１２ａ、１２ｂ、１４ａ、１４ｂへの固定にも利用されるが、図４、図５に示すように、その固定時には、一端縁がＬ字状に屈曲された金属板５０が利用される。
【００４４】
この金属板５０は、部分側壁部３２ａ、３２ｂ、３４ａ、３４ｂが固定された分割枠部１２ａと１２ｂ、及び、１４ａと１４ｂを、それぞれ、上下に配置して枠部連結具２１で連結した際に、各部分側壁部３２ａ、３２ｂ、３４ａ、３４ｂの裏面のアルミシート４０同士を電気的に接続するためのものである。
【００４５】
つまり、図５に示すように、金属板５０は、部分側壁部３２ａ、３２ｂ（又は３４ａ、３４ｂ）において、上下に配置した際に互いに対向する端縁に沿って、アルミシート４０の端縁側を覆うように配置される。また、金属板５０において、Ｌ字状に折り曲げられた端縁部分は、各部分側壁部３２ａ、３２ｂ（又は３４ａ、３４ｂ）の対向面側に配置される。
【００４６】
そして、部分側壁部３２ａ、３２ｂ（又は３４ａ、３４ｂ）は、このように裏面側に金属板５０が配置された状態で、固定具７０を介して、分割枠部１２ａ、１２ｂ、１４ａ、１４ｂに固定される。
【００４７】
また、このように部分側壁部３２ａ、３２ｂ（又は３４ａ、３４ｂ）が固定された分割枠部１２ａ、１２ｂ（又は１４ａ、１４ｂ）を枠部連結具２１で連結した際に、互いに対向して配置される金属板５０の端縁部分には、接続部材６０が設けられている。
【００４８】
この接続部材６０は、導電性で弾性変形可能な弾性部材（例えば、ウレタンフォーム周囲に導電布を設けたソフトガスケット、導電性ゴム、等）にて構成されており、上下に配置された金属板５０の端縁部分に挟まれることで、金属板５０同士、延いては、部分側壁部３２ａと３２ｂ（又は３４ａと３４ｂ）のアルミシート４０同士を電気的に接続する。
【００４９】
従って、分割枠部１２ａ、１２ｂ、及び、１４ａ、１４ｂを枠部連結具２１で連結して、壁用枠部１２、１４を組み立てた際には、部分側壁部３２ａ、３２ｂ、及び、３４ａ、３４ｂの裏面のアルミシート４０が電気的に接続され、側壁部３２、３４全体で、ゲートの外から侵入してくる電波を反射することができるようになる。
【００５０】
なお、図４、図５に示すように、上方に配置される分割枠部１２ａ、１４ａにおいて、上方の開口部分は金属板５４で閉塞され、部分側壁部３２ａ、３４ａよりも上方の開口部分も、金属板５２で閉塞されている。これは、この開口部分を電波が通過するのを防止するためである。
【００５１】
また、図４、図５に示すように、本実施形態の部分側壁部３２ａ、３２ｂ、３４ａ、３４ｂは、高さが金属板５０よりも短く板面全体が金属板５０に固定される壁部と、分割枠部１２ａ、１２ｂ、１４ａ、１４ｂの残りの壁面の略全域を覆う壁部とに分割されている。これは、ゲートの組み立て時の作業性を考慮したためであり、部分側壁部３２ａ、３２ｂ、３４ａ、３４ｂは必ずしも分割する必要はない。
【００５２】
また、図４、図５に示すように、部分側壁部３２ａ、３２ｂ、３４ａ、３４ｂを分割した場合、板面全体が金属板５０に固定される壁部には、裏面にアルミシート４０が設けられていないものを用いてもよい。
【００５３】
以上説明したように、本実施形態のＲＦＩＤ通信用ゲート２は、監視対象となる通路を挟んで一対の側壁部３２、３４が設けられている。
側壁部３２、３４は、それぞれ、ゲートの高さ方向に２つの部分側壁部３２ａ、３２ｂ、３４ａ、３４ｂに分割され、部分側壁部３２ａ、３２ｂ、３４ａ、３４ｂは、上下に配置されて枠部連結具２１を介して連結される分割枠部１２ａ、１２ｂ、１４ａ、１４ｂに固定されている。
【００５４】
このため、本実施形態のＲＦＩＤ通信用ゲート２によれば、上述した従来装置に比べて、側壁部３２、３４及び壁用枠部１２、１４を構成する部材の、ゲートの高さ方向の長さを短くすることができ、その運搬及び設置作業を容易に行うことができる。
【００５５】
また、部分側壁部３２ａ、３２ｂ、３４ａ、３４ｂは、板状の電波吸収体にて構成されており、その裏面（通路とは反対側の面）には、アルミシート４０が貼り付けられている。
【００５６】
このため、本実施形態のＲＦＩＤ通信用ゲート２によれば、部分側壁部３２ａ、３２ｂ、３４ａ、３４ｂを構成する電波吸収体により、アンテナ装置６２、６４、６６、６８から放射された電波が外に漏れ出すのを防止できる。また、アルミシート４０が電波の反射板として機能することから、ゲートの外から入射してくる電波を遮断することができる。
【００５７】
また、部分側壁部３２ａ、３２ｂ（又は３４ａ、３４ｂ）が上下に配置されて、側壁部３２（又は３４）を構成する際には、上下の部分側壁部３２ａ、３２ｂ（又は３４ａ、３４ｂ）のアルミシート４０が、金属板５０及び接続部材６０を介して電気的に接続される。
【００５８】
そして、金属板５０及び接続部材６０は、部分側壁部３２ａ、３２ｂ（又は３４ａ、３４ｂ）において互いに対向する端縁に沿って連続的に配置されることから、上下に配置された部分側壁部３２ａ、３２ｂ（又は３４ａ、３４ｂ）の間を電波が通過するのを防止できる。
【００５９】
よって、本実施形態のＲＦＩＤ通信用ゲート２によれば、アンテナ装置６２、６４、６６、６８を介して、ゲート内を通過するＲＦＩＤタグとの通信を良好に行うことができるようになる。
【００６０】
従って、アンテナ装置６２、６４、６６、６８を、ＲＦＩＤリーダライタに接続して、ＲＦＩＤタグから情報を読み取るようにすれば、情報を高精度に読み取ることができるようになる。
【００６１】
以上、本発明の一実施形態について説明したが、本発明は、上記実施形態に限定されるものではなく、本発明の要旨を逸脱しない範囲内にて種々の態様をとることができる。
例えば、上記実施形態では、上下に配置された部分側壁部３２ａ、３２ｂ（又は３４ａ、３４ｂ）のアルミシート４０は、金属板５０と接続部材６０とを介して電気的に接続されるものとして説明した。
【００６２】
これに対し、図６に示すように、アルミシート４０の裏面（通路とは反対側）から導電性の粘着テープ６１を貼り付けることで、上下に配置された部分側壁部３２ａ、３２ｂ（又は３４ａ、３４ｂ）のアルミシート４０同士を電気的に接続するようにしてもよい。
【００６３】
なお、この場合、図６に示すように、部分側壁部３２ａ、３２ｂ（又は３４ａ、３４ｂ）同士の接続位置が、分割枠部１２ａ、１２ｂ（又は１４ａ、１４ｂ）の連結部分の高さ位置よりも上方（又は下方）にずれるように、部分側壁部３２ａ、３２ｂ（又は３４ａ、３４ｂ）のゲートの高さ方向の長さを設定するとよい。
【００６４】
このようにすれば、部分側壁部３２ａ、３２ｂ（又は３４ａ、３４ｂ）を分割枠部１２ａ、１２ｂ（又は１４ａ、１４ｂ）に固定してから、分割枠部１２ａ、１２ｂ（又は１４ａ、１４ｂ）同士を連結し、その裏面側から粘着テープ６１を貼り付けることができるので、ゲートの組み立て作業をより簡単に行うことができる。
【００６５】
また、上下の分割枠部１２ａ、１２ｂ（又は１４ａ、１４ｂ）の連結には、図７に例示すように、２本のパイプ１８を平行に配置した状態で、各パイプ１８を中心軸周りに回動可能に連結するレール状の枠部連結具７６を用いるようにしてもよい。
【００６６】
この場合、分割枠部１２ａ、１２ｂ（又は１４ａ、１４ｂ）を上下に配置して、一つの壁用枠部１２（又は１４）として機能させる際には、図７に示すように高さ方向のパイプ１８が真っ直ぐ並ぶように、位置決め用の固定具７４で固定するようにすればよい。
【００６７】
なお、図７において、（ａ）は、分割枠部１２ａ、１２ｂ（又は１４ａ、１４ｂ）の接続部分を、部分側壁部３２ａ、３２ｂ（又は３４ａ、３４ｂ）が配置される通路側から見た状態を表す正面図である。
【００６８】
また、（ｂ）は、部分側壁部３２ａ、３２ｂ（又は３４ａ、３４ｂ）が固定された分割枠部１２ａ、１２ｂ（又は１４ａ、１４ｂ）の接続部分を、（ａ）の右側からみた断面図である。
【００６９】
ＲＦＩＤ通信用ゲート２を、図７に示すように構成すれば、分割枠部１２ａ、１２ｂ（又は１４ａ、１４ｂ）同士を枠部連結具７６にて連結した状態で、壁用枠部１２（又は１４）を折り畳むことができる。このため、設置場所でのゲートの組立を、より簡単に行うことができるようになる。
【００７０】
なお、この場合、枠部連結具７６には、レール状のものではなく、蝶番のようなヒンジを利用してもよい。
また、枠部連結具７６には、各分割枠部１２ａ、１２ｂ（又は１４ａ、１４ｂ）に固定される部分側壁部３２ａ、３２ｂ（又は３４ａ、３４ｂ）の裏面に当接されて、その裏面のアルミシート４０同士を電気的に接続する接続部材７８を設けるとよい。
【００７１】
そして、この接続部材７８は、各分割枠部１２ａ、１２ｂ（又は１４ａ、１４ｂ）の連結部分を回動させた際に変形できるように、上述したソフトガスケットや導電性ゴム等からなる導電性の弾性部材にて構成するとよい。
【００７２】
次に、上記実施形態では、電波吸収体にて構成される部分側壁部３２ａ、３２ｂ、３４ａ、３４ｂの裏面（通路とは反対側の面）には、電波を反射する反射板として、アルミシート４０が貼り付けられている（換言すれば積層されている）ものとして説明した。
【００７３】
これに対し、反射板は、図８に示すように、部分側壁部３２ａ、３２ｂ（又は３４ａ、３４ｂ）にて構成される側壁部３２（又は３４）の裏面全体を覆うように、側壁部３２（又は３４）とは別体で構成された導電性シート８０にて構成してもよい。
【００７４】
この導電性シート８０は、芯材８２に巻回され、図示しないコイルばね等によってシートの引き出し・巻き戻しが可能なケース８４内に、所謂スクリーンとして収納されている。このため、導電性シート８０は、必要に応じてケース８４から引き出すことにより、側壁部３２（又は３４）の裏面全域に配置して、電波を遮断することができる。
【００７５】
そして、この場合、側壁部３２（又は３４）の裏面に配置する反射板を、ゲートの高さ方向に複数に分割する必要がないので、金属板５０や接続部材６０等を設ける必要がなく、ＲＦＩＤ通信用ゲート２の構成を簡単にすることができる。
【００７６】
一方、上記実施形態では、電波吸収体にて構成される部分側壁部３２ａ、３２ｂ、３４ａ、３４ｂは板状であり、その板面は平坦であるものとして説明したが、板面が波形形状、或いは複数の突起が分散して形成された凹凸形状であってもよい。
【００７７】
また、上記実施形態では、壁用枠部１２、１４及び天用枠部１６は、それぞれ、棒状で中空円筒形の複数のパイプ１８と、そのパイプ１８を連結するパイプ連結具２０とにより構成されるものとして説明したが、パイプ１８の断面形状は矩形であってもよい。また、パイプに代えて、例えば、断面がコの字状、或いはＬ字状の棒状部材を用いるようにしてもよい。
【００７８】
また、壁用枠部１２、１４及び天用枠部１６は、必ずしも、パイプ等の棒状部材にて枠部の外形を形成する必要はなく、電波を透過可能な板材を使って扁平な箱状に形成されていてもよい。
【００７９】
この場合、壁用枠部１２、１４を構成する分割枠部１２ａ，１２ｂ，１４ａ，１４ｂも箱状に形成されることになり、電波吸収体にて構成される部分側壁部３２ａ、３２ｂ、３４ａ、３４ｂは、その箱の内部に収納すればよい。
【００８０】
従って、この場合、部分側壁部３２ａ、３２ｂ、３４ａ、３４ｂは、必ずしも板状に形成する必要はなく、例えば、電波吸収体からなる小型で任意形状の部材を、部分側壁部を構成する箱の中に詰め込むことによって、部分側壁部３２ａ、３２ｂ、３４ａ、３４ｂを構成するようにしてもよい。
【００８１】
また次に、上記実施形態では、ＲＦＩＤタグから識別情報を取得するのに用いられるＲＦＩＤ通信用ゲート２について説明したが、本発明の通信用ゲートは、ゲート内の無線機器との間で無線通信するためのものであればよい。
【００８２】
つまり、本発明の通信用ゲートにおいて、通信対象となる無線機器は、ＲＦＩＤタグに限定されるものではなく、例えば、自動車等の移動体に搭載された無線端末や、ゲートを通過する人が所持した携帯端末、等であってもよい。
【００８３】
また、上記実施形態のＲＦＩＤ通信用ゲート２には、アンテナ装置６２、６４、６６、６８が組み付けられるものとして説明したが、アンテナ装置は、通信用ゲートとは別体とし、専用の支持部材を使ってゲート内に配置するようにしてもよい。
【符号の説明】
【００８４】
２…ＲＦＩＤ通信用ゲート、１０…枠体、１２，１４…壁用枠部、１２ａ，１２ｂ，１４ａ，１４ｂ…分割枠部、１６…天用枠部、１８…パイプ、２０…パイプ連結具（棒状部材連結具）、２１…枠部連結具、３２，３４…側壁部、３２ａ，３２ｂ，３４ａ，３４ｂ…部分側壁部、３６ａ，３６ｂ，３８ａ，３８ｂ…化粧板、４０…アルミシート（反射板）、５０，５２，５４…金属板、６０…接続部材、６１…粘着テープ、６２，６４，６６，６８…アンテナ装置、７０…固定具、７２…ねじ、７４…固定具、７６…枠部連結具、７８…接続部材、８０…導電性シート、８２…芯材、８４…ケース。
【図１】
0006560081.tif 000002
【図２】
0006560081.tif 000003
【図３】
0006560081.tif 000004
【図４】
0006560081.tif 000005
【図５】
0006560081.tif 000006
【図６】
0006560081.tif 000007
【図７】
0006560081.tif 000008
【図８】
0006560081.tif 000009